(57)【要約】      （修正有）【課題】個々の製品パッケージ内にも容易に封入することができ、蓋の全面を押さえなくとも十分効率的に蓋の起き上がりを防止することが可能な即席カップ麺蓋用固定具を提供する。【解決手段】長辺が、即席カップ麺容器１０の蓋１４の直径よりも長くなるようにシート状の可撓性材料を用いて短冊形状に即席カップ麺蓋用固定具１００を構成し、当該即席カップ麺蓋用固定具１００の長手方向両端近傍に、お互いの先端が向かい合うように凸状乃至は円弧状のスリットを設けることによって本体に対して上下に揺動可能なフラップ部１０４を形成し、短冊形状の即席カップ麺蓋用固定具１００の短辺のそれぞれの略中央位置に、箸やフォークを載置するための凹部１０６を設ける。【選択図】図５
2018070161.tif 000002
【特許請求の範囲】
【請求項１】
長辺が、即席カップ麺容器の蓋の直径よりも長くなるようにシート状の可撓性材料を用いて短冊形状に本体を構成し、
当該本体の長手方向両端近傍に、お互いの先端が向かい合うように凸状乃至は円弧状のスリットを設けることによって前記本体に対して上下に揺動可能なフラップ部を形成し、
前記短冊形状の本体の短辺のそれぞれの略中央位置に、箸やフォークを載置するための凹部を設けた
ことを特徴とする即席カップ麺蓋用固定具。
【発明の詳細な説明】
【技術分野】
【０００１】
本発明は、即席カップ麺の調理に関し、特に詳しくは、即席カップ麺に湯を注いて待っている間に、カップ麺の蓋が起き上がることを防止するための固定具に関する。
【背景技術】
【０００２】
従来から、即席カップ麺の蓋の起き上がりを防止するための「固定具」乃至は「押え具」に関する発明は種々提案されている（例えば特許文献１）。
【０００３】
特許文献１においては、湯気が漏れ出るのを防止するために、カップ麺の蓋全面に渡る形状に本体を構成し、当該本体の一部に切り込みを入れることによって形成したクリップ部をカップ麺開口縁の鍔部分に引っ掛けることによって、蓋の起き上がりを防止する発明が開示されている。
【先行技術文献】
【特許文献】
【０００４】
【特許文献１】特開２０１３−１８５３８号公報
【発明の概要】
【発明が解決しようとする課題】
【０００５】
確かに、特許文献１に記載の発明では、蓋の全面を抑えることができるので、湯気の漏出を防止するという観点からは望ましい。
【０００６】
しかしながら、カップ麺の蓋は、通常、湯を注ぐ部分だけシールを剥がして開けるのであるから、そもそも開口部縁を全周に渡って押さえ込む必要性に乏しい。更に、特許文献１に記載の発明のように構成すると、サイズが大きくなるので単純に邪魔であるし、原材料のコストも高くなる。加えて、個々の製品パッケージ内に封入した状態で需要者に提供することも難しい。
【０００７】
そこで本発明は、上記問題点を解決するべくなされたものであって、個々の製品パッケージ内にも容易に封入することができ、蓋の全面を押さえなくとも十分効率的に蓋の起き上がりを防止することが可能な即席カップ麺蓋用固定具を提供する事を目的としている。
【課題を解決するための手段】
【０００８】
上記課題を解決するべく、本願発明は、長辺が、即席カップ麺容器の蓋の直径よりも長くなるようにシート状の可撓性材料を用いて短冊形状に本体を構成し、当該本体の長手方向両端近傍に、お互いの先端が向かい合うように凸状乃至は円弧状のスリットを設けることによって前記本体に対して上下に揺動可能なフラップ部を形成し、前記短冊形状の本体の短辺のそれぞれの略中央位置に、箸やフォークを載置するための凹部を設けたことを特徴とする。
【０００９】
このように短冊形状の本体としたことによって、場所もとらず、個々の製品パッケージ内にも容易に封入することができる。また、本体の長手方向両端近傍に、お互いの先端が向かい合うように凸状乃至は円弧状のスリットを設けることによって前記本体に対して上下に揺動可能なフラップ部を形成し、前記短冊形状の本体の短辺のそれぞれの略中央位置に、箸やフォークを載置するための凹部を設けたことによって、蓋の全面を押さえなくとも十分効率的に蓋の起き上がりを防止することが可能となっている。即ち、フラップ部をカップ麺容器の開口縁鍔部に引っ掛けるために下方に揺動させると、その位置関係から、凹部が形成された短辺はその反力を受けて上方に揺動する。そして、凹部に箸やフォークといった一定の重さを有した物体を載置すると、その重みがフラップ部を閉じる方向に作用し、蓋を押さえ込む力が発生することによって、蓋の全面を押さえなくとも十分効率的に蓋の起き上がりを防止することを可能としているのである。
【発明の効果】
【００１０】
本発明を適用することで、個々の製品パッケージ内にも容易に封入することができ、蓋の全面を押さえなくとも十分効率的に蓋の起き上がりを防止することが可能な即席カップ麺蓋用固定具を提供することができる。
【図面の簡単な説明】
【００１１】
【図１】本発明に係る実施形態の一例として示した即席カップ麺蓋用固定具の正面図である。
【図２】本発明に係る実施形態の一例として示した即席カップ麺蓋用固定具の斜視図であって、フラップ部が回動している状態（装着状態）を示した図である。
【図３】本発明に係る実施形態の一例として示した即席カップ麺蓋用固定具の装着時の正面図である。
【図４】本発明に係る実施形態の一例として示した即席カップ麺蓋用固定具の装着時の斜視図である。
【図５】本発明に係る実施形態の一例として示した即席カップ麺蓋用固定具の装着時の斜視図であって、箸置き凹部に箸を載置した状態を示した図である。
【図６】本発明に係る実施形態の一例として示した即席カップ麺蓋用固定具が、カップ麺販売時のパッケージ内に一体として封入されている状態を示した図である。
【発明を実施するための形態】
【００１２】
以下、添付図面を参照しつつ、本発明の実施形態の一例である即席カップ麺蓋用固定具１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１３】
〈即席カップ麺蓋用固定具の構成〉
図１乃至図３に示しているように、本発明の実施形態の一例として示した即席カップ麺蓋用固定具１００は、長辺が、即席カップ麺容器１０の蓋１４の直径よりも長くなるようにシート状の可撓性材料を用いて短冊形状に構成されている。
【００１４】
ここで可撓性材料は特に限定されるものではないが、例えば、ある程度の厚みを有した紙、ＰＥＴなどの樹脂材料、ゴム又はこれらの複合体が好適である。
【００１５】
即席カップ麺蓋用固定具１００の長手方向両端近傍には、お互いの先端が向かい合うように凸状乃至は円弧状のスリット１０２が設けられている。このスリット１０２は正面側から裏面（背面）側まで貫通しており、当該スリット１０２を設けたことによって、本体（即席カップ麺蓋用固定具１００）に対して上下に揺動可能（図２を参照）なフラップ部１０４が形成される。
【００１６】
また、即席カップ麺蓋用固定具１００の短辺側の略中央位置には、それぞれ、箸やフォークを載置するための箸置き凹部１０６が設けられている。
【００１７】
〈即席カップ麺蓋用固定具の使用方法及びその作用・機能〉
本発明の実施形態の一例として示した即席カップ麺蓋用固定具１００の使用方法は極めて簡単である。
【００１８】
即席カップ麺容器１０の蓋１４を開けて所定量のお湯を容器内に注いだ後、両方のフラップ部１０６を下方に揺動させて、当該フラップ部１０６を即席カップ麺容器１０の鍔部１２に引っ掛ければよい。この時、一方のフラップ部１０６が、即席カップ麺容器１０の蓋１４のつまみ部１６の位置となるように引っ掛けて装着するのが望ましい。また、フラップ部１０４を下方に揺動させると、その位置関係から、凹部１０６が形成された短辺はその反力を受けて上方に揺動し、蓋１４よりも高い位置となる（例えば図４参照）。
【００１９】
その後、図５に示しているように、手元にある箸２０（若しくはフォーク）を、両端に形成された箸置き凹部１０６に載置すればよい。箸置き凹部１０６に箸２０（やフォーク）といった一定の重さを有した物体を載置すると、箸置き凹部１０６とフラップ部１０４の位置関係から、その重みがフラップ部１０４を閉じる方向に作用するので、即席カップ麺容器１０の蓋１４を効率的に押さえ込む力が発生することによって、蓋１４の全面を押さえなくとも十分効率的に蓋１４の起き上がりを防止することを可能としている。
【００２０】
このように、短冊形状としたことによって、場所もとらず、例えば図６として示しているように、個々の製品パッケージ内にも容易に封入することができる。このとき、即席カップ麺蓋用固定具１００の表面や裏面に広告宣伝を行うことも可能であるし、特定のキャラクターグループやアイドルグループなどシリーズ物として用意しておき、コレクターズアイテムとして機能させ、販売促進効果を発揮させることも可能となる。
【符号の説明】
【００２１】
１０・・・即席カップ麺容器
１２・・・鍔部
１４・・・蓋
２０・・・箸
１６・・・つまみ部
１００・・・即席カップ麺蓋用固定具
１０２・・・スリット
１０４・・・フラップ部
１０６・・・箸置き凹部
【図１】
2018070161.tif 000003
【図２】
2018070161.tif 000004
【図３】
2018070161.tif 000005
【図４】
2018070161.tif 000006
【図５】
2018070161.tif 000007
【図６】
2018070161.tif 000008
【手続補正書】
【提出日】平成29年4月21日(2017.4.21)
【手続補正１】
【補正対象書類名】特許請求の範囲
【補正対象項目名】請求項１
【補正方法】変更
【補正の内容】
【請求項１】
長辺が、即席カップ麺容器の蓋の直径よりも長くなるようにシート状の可撓性材料を用いて短冊形状に本体を構成し、
当該本体の長手方向両端近傍に、お互いの先端が向かい合うように凸状乃至は円弧状のスリットを設けることによって前記本体に対して上下に揺動可能なフラップ部を形成し、
前記短冊形状の本体の短辺のそれぞれの略中央位置に、箸やフォークを載置するための凹部を設け、
前記スリットは、即席カップ麺容器の蓋の直径となるそれぞれの位置に形成されている
ことを特徴とする即席カップ麺蓋用固定具。